(57)【要約】【課題】  太陽光パネルが設置された傾斜屋根の棟に雪が付着するのを防止する屋根着雪防止装置を提供することである。【解決手段】  屋根の棟に垂直方向上方に延びるように取り付けられ、雪を棟の両側に分散させる垂直材（１０ａ、２０ａ）を備えていることを特徴とする屋根着雪防止装置（１０、２０）が提供される。好ましくは、屋根着雪防止装置は、垂直材の上端から棟の一方向又は両方向に斜め下方に傾斜する傾斜材（１０ｂ、２０ｂ）を更に備えている。また、好ましくは、屋根着雪防止装置は、垂直材の上端に配置され、一定間隔隔てて多数の散水孔（２２ａ）が設けられた散水管（２２）を更に備えている。【選択図】  図１
2011231479.tif 000002
【特許請求の範囲】
【請求項１】
屋根着雪防止装置であって、
屋根の棟に垂直方向上方に延びるように取り付けられ、雪を棟の両側に分散させる垂直材を備えていることを特徴とする装置。
【請求項２】
前記垂直材の上端から棟の一方向又は両方向に斜め下方に傾斜する傾斜材を更に備えていることを特徴とする請求項１に記載された装置。
【請求項３】
前記垂直材の上端に配置され、一定間隔隔てて多数の散水孔が設けられた散水管を更に備え、前記散水孔から散水するように構成されていることを特徴とする請求項１又は２に記載された装置。
【請求項４】
前記傾斜材の内側に配置され、一定間隔隔てて多数の散水孔が設けられた散水管を更に備え、前記散水孔から散水するように構成されていることを特徴とする請求項２に記載された装置。
【発明の詳細な説明】
【技術分野】
【０００１】
本発明は一般に、屋根の棟に雪が付着するのを防止する屋根着雪防止装置に関する。より詳細には、本発明は、太陽光パネルが設置された傾斜屋根の棟に雪が付着するのを防止する屋根着雪防止装置に関する。
【背景技術】
【０００２】
地球温暖化防止のため二酸化炭素の排出量を削減すべく、太陽光発電装置が注目されている。一般住宅においても、行政による補助金助成や余剰電力の買取り等の施策にも後押しされて、屋根に太陽光パネルを設置しているケースが着実に増えている。図７は、典型的な傾斜屋根住宅の屋根に太陽光パネルが設置されている状態を示した模式図である。
【発明の開示】
【発明が解決しようとする課題】
【０００３】
積雪地帯においては、冬期に、特に太陽光パネルが設置されている住宅では太陽光発電を良好に行うため、定期的に屋根の雪下ろしをすることが必要不可欠である。しかし、屋根の雪下ろしは手間がかかるうえ、雪下ろしの際の転落事故などがあるため、屋根の雪おろしを出来るだけ減らすことができる方策が模索されている。
【０００４】
本発明は、このような現状に鑑みて開発されたものであって、太陽光パネルが設置された傾斜屋根の棟に雪が付着するのを防止する屋根着雪防止装置を提供することを目的としている。
【課題を解決するための手段】
【０００５】
本願請求項１に記載の屋根着雪防止装置は、屋根の棟に垂直方向上方に延びるように取り付けられ、雪を棟の両側に分散させる垂直材を備えていることを特徴とするものである。
【０００６】
本願請求項２に記載の屋根着雪防止装置は、前記請求項１の装置において、前記垂直材の上端から棟の一方向又は両方向に斜め下方に傾斜する傾斜材を更に備えていることを特徴とするものである。
【０００７】
本願請求項３に記載の屋根着雪防止装置は、前記請求項１又は２の装置において、前記垂直材の上端に配置され、一定間隔隔てて多数の散水孔が設けられた散水管を更に備え、前記散水孔から散水するように構成されていることを特徴とするものである。
【０００８】
本願請求項４に記載の屋根着雪防止装置は、前記請求項２の装置において、前記傾斜材の内側に配置され、一定間隔隔てて多数の散水孔が設けられた散水管を更に備え、前記散水孔から散水するように構成されていることを特徴とするものである。
【発明の効果】
【０００９】
本発明の屋根着雪防止装置により、雪が降っても、雪が棟の両側に分散されるため、棟周辺に雪が堆積しにくくなり、太陽光パネルへの悪影響を回避することができる。また、散水管を装備した屋根着雪防止装置では、散水することにより、一層効率的に雪の堆積を回避することができる。本発明の屋根着雪防止装置は、構造が極めて簡単であるため、製造コストが廉価であり、故障することもなく維持管理も容易である。
【発明を実施するための最良の形態】
【００１０】
次に図面を参照して、本発明の好ましい実施の形態に係る屋根着雪防止装置について詳細に説明する。図１は、本発明の第１の実施の形態に係る屋根着雪防止装置が切妻屋根に取り付けられている状態を示した概略図、図２は、図１の屋根着雪防止装置の拡大図である。
【００１１】
図１及び図２において全体として参照符号１０で示される第１の実施の形態に係る屋根着雪防止装置は、垂直材１０ａと、垂直材１０ａの上端から両方向に斜め下方に傾斜するように固定された傾斜材１０ｂと、垂直材１０ａの下端に配置され、傾斜屋根の棟に取り付けるための取付材１０ｃとを備えている。
【００１２】
垂直材１０ａ、傾斜材１０ｂおよび取付材１０ｃは、屋根の棟方向に沿って延びるように金属板で形成されている。
【００１３】
傾斜材１０ｂは、図３（ｂ）に示されるように、垂直材１０ａの上端から一方向に斜め下方に傾斜するようにしてもよい。或いは、傾斜材１０ｂ自体を省略してもよい（図３（ａ）参照）。
【００１４】
図４は、本発明の第２の実施の形態に係る屋根着雪防止装置２０を示した拡大図である。屋根着雪防止装置２０は、散水管２２を備えている点を除いて、第１の実施の形態に係る屋根着雪防止装置１０と実質的に同一の構成を有している。すなわち、屋根着雪防止装置２０は、垂直材２０ａと、垂直材２０ａの上端から両方向に斜め下方に傾斜するように固定された傾斜材２０ｂと、垂直材２０ａの下端に配置され、傾斜屋根の棟に取り付けるための取付材２０ｃと、屋根の棟方向に沿って延びるように垂直材２０ａの上端に配置された散水管２２とを備えている。
【００１５】
散水管２２には、一定間隔隔てて多数の散水孔２２ａが設けられている。図５は、屋根着雪防止装置２０が設置されている住宅を模式的に示した図である。散水管２２には、給水ポンプ（図示せず）に接続されたホース（図示せず）が連結されており、給水ポンプから散水管２２に給水することにより、散水孔２２ａから散水されるようになっている。また、図５に示されるように、不凍栓に接続された別のホースを散水管２２に連結することにより、散水管２２中の水を吸引させ、散水を一層良好に行われるようにしてもよい。
【００１６】
図６は、屋根着雪防止装置２０の変形形態を示した図である。図６（ａ）に示される屋根着雪防止装置２０は、傾斜材２０ｂの内側に散水管２２が配置されており、散水管２２及び傾斜材２０ｂを貫通して延びた散水孔２２ａを通して散水されるようになっている。図６（ｂ）に示される屋根着雪防止装置２０は、垂直材２０ａが板状ではなく、箱状に形成されている。
【００１７】
以上のように構成された屋根着雪防止装置１０、２０の使用について説明する。まず、屋根の棟に釘等を用いて屋根着雪防止装置１０、２０を堅固に固定する。すると、雪が降っても、垂直材１０ａ、２０ａによって雪が棟の両側に“切り分けられる”ため、棟周辺に雪が堆積しずらくなり、太陽光パネルへの影響を最小限にとどめることができる。さらに、散水管２２を備えた屋根着雪防止装置１０、２０では、散水孔２２ａから散水することにより、屋根上の雪を融解させることができるため、一層効率的に太陽光パネルへの影響を回避することができる。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
たとえば、前記実施の形態において図示されている屋根着雪防止装置１０、２０の形状、寸法や傾斜角度は、単なる例示的なものにすぎず、図示されている形状、寸法や傾斜角度以外にしてもよい。
【図面の簡単な説明】
【００２０】
【図１】本発明の第１の実施の形態に係る屋根着雪防止装置が切妻屋根に取り付けられている状態を示した概略図である。
【図２】図１の屋根着雪防止装置の拡大図である。
【図３】図１の屋根着雪防止装置の変形例を示した図である。
【図４】本発明の第２の実施の形態に係る屋根着雪防止装置の拡大図である。
【図５】図４の屋根着雪防止装置が設置されている住宅を示した模式図である。
【図６】図４の屋根着雪防止装置の変形例を示した図である。
【図７】典型的な傾斜屋根住宅に屋根に太陽光パネルが設置されている状態を示した模式図である。
【符号の説明】
【００２１】
１０  第１の実施の形態に係る屋根着雪防止装置
１０ａ  垂直材
１０ｂ  傾斜材
１０ｃ  取付材
２０  第２の実施の形態に係る屋根着雪防止装置
２０ａ  垂直材
２０ｂ  傾斜材
２０ｃ  取付材
２２  散水管
２２ａ  散水孔
【図１】
2011231479.tif 000003
【図２】
2011231479.tif 000004
【図３】
2011231479.tif 000005
【図４】
2011231479.tif 000006
【図５】
2011231479.tif 000007
【図６】
2011231479.tif 000008
【図７】
2011231479.tif 000009